(57)【要約】【課題】  瞬時電圧低下時の発生データを迅速且つ容易に分析して記録整理することができる瞬時電圧低下分析システムを提供する。【解決手段】  瞬時電圧低下分析システム１であって、分析サーバ１０は、端末２０から送信される瞬時電圧低下時の電圧値及び電流値が記録された発生データ及び当該瞬時電圧低下時に実際に停止した機器が有るか否かを示す機器状態データを取り込むデータ取込手段１１と、発生データを分析する条件を設定する条件設定手段１２と、発生データから所定の周期の範囲のデータを抽出して、これらのデータの電流値と機器状態データとの関係から機器停止の範囲が示された判定表を生成する判定表生成手段１３と、判定表と条件設定手段１２により設定された条件とに基づいて電圧値と継続時間との関係を分析する分析手段１４と、分析手段１４により分析された電圧値と継続時間の関係に基づく機器停止の有無が示された分析表を生成する分析表生成手段１５とを具備する。【選択図】        図１
2005269783.tif 000002
【特許請求の範囲】
【請求項１】
電力系統や電力需要設備に発生した瞬時電圧低下時の発生データから瞬時電圧低下の分析を行う瞬時電圧低下分析システムであって、
ネットワークを介して接続されると共に所定の端末からの瞬時電圧低下時の発生データを収集して当該発生データの分析を行う分析サーバと、ネットワークを介して接続されると共に瞬時電圧低下時に所定のデータを前記分析サーバに送信する端末とを具備し、
前記分析サーバは、前記端末から送信される瞬時電圧低下時の電圧値及び電流値が記録された発生データ及び当該瞬時電圧低下時に実際に停止した機器が有るか否かを示す機器状態データを取り込むデータ取込手段と、前記発生データを分析する条件を設定する条件設定手段と、前記発生データから所定の周期の範囲のデータを抽出して、これらのデータの電流値と前記機器状態データとの関係から機器停止の範囲が示された判定表を生成する判定表生成手段と、前記判定表と前記条件設定手段により設定された条件とに基づいて電圧値と継続時間との関係を分析する分析手段と、前記分析手段により分析された電圧値と継続時間の関係に基づく機器停止の有無が示された分析表を生成する分析表生成手段とを具備すること特徴とする瞬時電圧低下分析システム。
【請求項２】
請求項１において、前記判定表生成手段は、前記発生データから瞬時電圧低下の発生時点を検索し、当該瞬時電圧低下の発生時点から所定の周期の範囲までの電圧値を抽出することを特徴とする瞬時電圧低下分析システム。
【請求項３】
請求項１又は２において、前記機器状態データが機器停止有りを示す場合には、前記分析手段は、前記判定表から機器が停止する前及び停止した時までの間に記録された所定値未満の電圧値を示す範囲の周期の連続数を抽出して、当該周期の連続数がゼロであるか否かを判断することを特徴とする瞬時電圧低下分析システム。
【請求項４】
請求項１〜３の何れかにおいて、前記機器状態データが機器停止無しを示す場合には、前記分析手段は、前記判定表から所定値未満の電圧値を示す範囲の周期の連続数を抽出して、当該周期の連続数がゼロであるか否かを判断することを特徴とする瞬時電圧低下分析システム。
【請求項５】
請求項１〜４の何れかにおいて、前記条件設定手段により設定される条件には、少なくとも分析開始時の上限電圧値が含まれており、前記分析手段は、前記機器状態データに応じて機器が停止する直前及び直後まで又は前記判定表に含まれる電圧値が最低電圧値となるまで、前記上限電圧値を減算して分析を繰り返すことを特徴とする瞬時電圧低下分析システム。
【請求項６】
請求項１〜５の何れかにおいて、前記分析表生成手段は、電圧値毎に抽出された前記周期の連続数を継続時間に換算して前記分析表を生成することを特徴とする瞬時電圧低下分析システム。
【請求項７】
請求項１〜６の何れかにおいて、前記分析サーバは、発生データを送信してきた端末に対して前記分析表を配信する分析表配信手段をさらに具備することを特徴とする瞬時電圧低下分析システム。
【発明の詳細な説明】
【技術分野】
【０００１】
本発明は、ネットワークを介して電力系統や電力需要設備に発生した瞬時電圧低下時の発生データから瞬時電圧低下の分析を行う瞬時電圧低下分析システムに関する。
【背景技術】
【０００２】
従来から、電力系統では、落雷や積雪などにより、瞬間的に電圧が低下する現象（以下、瞬時電圧低下という）が発生している。このような瞬時電圧低下は、電気の供給が完全に停止する停電とは異なるものであるが、電圧に敏感な機器を使用している場合などには、機器が停止してしまうなどの影響を及ぼす要因となっていた。
【０００３】
このような瞬時電圧低下の影響を受けやすい機器としては、例えば、インバータ、水銀灯、電磁スイッチなどの素子を有する機器が一般的に知られているが、この他にも様々な原因素子が存在するであろうと考えられている。
【０００４】
このため、瞬時電圧低下時には、その発生データを迅速に記録整理して分析すると共に原因となった素子を追求し、原因素子に対する何らかの対策を検討することが必要とされていた。好ましくは、瞬時電圧低下時の原因素子を追求するために、分かり易い形式で記録整理された発生データをユーザ側に対して迅速に提供することも必要とされていた。
【０００５】
しかしながら、上述のような瞬時電圧低下時の発生データの記録点は、一般的に、何千万点と膨大でありながらシステムとして自動化されていないため、その整理に長時間を要していた。すなわち、瞬時電圧低下時の膨大な発生データを検討し易い形式で記録して整理する作業には、相当の手間がかかり迅速な対応を採ることは困難であった。
【０００６】
その他に、電力系統における瞬時電圧低下の発生記録と発生時刻を記録するシステムが提案されているが（特許文献１参照）、記録後のデータを対策などの検討に用いるようなものではなく、未だ上述のような欠点が解消できるシステムは提案されていなかった。
【０００７】
【特許文献１】特開２００２−３４５１７１号公報
【発明の開示】
【発明が解決しようとする課題】
【０００８】
本発明はこのような事情に鑑み、瞬時電圧低下時の発生データを迅速且つ容易に分析して記録整理することができる瞬時電圧低下分析システムを提供することを課題とする。
【課題を解決するための手段】
【０００９】
上記課題を解決する本発明の第１の態様は、電力系統や電力需要設備に発生した瞬時電圧低下時の発生データから瞬時電圧低下の分析を行う瞬時電圧低下分析システムであって、ネットワークを介して接続されると共に所定の端末からの瞬時電圧低下時の発生データを収集して当該発生データの分析を行う分析サーバと、ネットワークを介して接続されると共に瞬時電圧低下時に所定のデータを前記分析サーバに送信する端末とを具備し、前記分析サーバは、前記端末から送信される瞬時電圧低下時の電圧値及び電流値が記録された発生データ及び当該瞬時電圧低下時に実際に停止した機器が有るか否かを示す機器状態データを取り込むデータ取込手段と、前記発生データを分析する条件を設定する条件設定手段と、前記発生データから所定の周期の範囲のデータを抽出して、これらのデータの電流値と前記機器状態データとの関係から機器停止の範囲が示された判定表を生成する判定表生成手段と、前記判定表と前記条件設定手段により設定された条件とに基づいて電圧値と継続時間との関係を分析する分析手段と、前記分析手段により分析された電圧値と継続時間の関係に基づく機器停止の有無が示された分析表を生成する分析表生成手段とを具備すること特徴とする瞬時電圧低下分析システムにある。
【００１０】
かかる第１の態様では、分析サーバによって、端末から送信された瞬時電圧低下時の発生データ及び機器状態データが取り込まれ、当該発生データを分析する条件が設定され、発生データから所定の周期の範囲のデータが抽出されることで、電流値と機器状態データとの関係から機器停止の範囲が示された判定表が生成され、当該判定表と設定された条件とに基づいて電圧値と継続時間の関係が分析され、分析された電圧値と継続時間の関係から機器停止の有無が示された分析表が生成される。これにより、瞬時電圧低下時の膨大な発生データを迅速に分析して整理することができると共に、機器停止の有無が電圧値と継続時間との関係から容易に把握可能な分析表として記録させておくことができる。
【００１１】
本発明の第２の態様は、第１の態様において、前記判定表生成手段は、前記発生データから瞬時電圧低下の発生時点を検索し、当該瞬時電圧低下の発生時点から所定の周期の範囲までの電圧値を抽出することを特徴とする瞬時電圧低下分析システムにある。
【００１２】
かかる第２の態様では、判定表生成手段によって、発生データから発生時点が検索され、当該発生時点から所定の周期の範囲までの電圧値が抽出されることで判定表が生成される。これにより、瞬時電圧低下の発生時点以降の所定範囲のデータのみを効率的に分析することができる。
【００１３】
本発明の第３の態様は、第１又は２の態様において、前記機器状態データが機器停止有りを示す場合には、前記分析手段は、前記判定表から機器が停止する前及び停止した時までの間に記録された所定値未満の電圧値を示す範囲の周期の連続数を抽出して、当該周期の連続数がゼロであるか否かを判断することを特徴とする瞬時電圧低下分析システムにある。
【００１４】
かかる第３の態様では、機器状態データが機器停止有りを示す場合に、判定表から機器が停止する前及び停止した時までの間に記録された所定値未満の電圧値を示す範囲の周期の連続数が抽出され、その周期の連続数がゼロであるか否かが判断される。これにより、瞬低時に実際に機器停止が有った場合の電圧低下と継続時間の関係を分析することができる。
【００１５】
本発明の第４の態様は、第１〜３の何れかの態様において、前記機器状態データが機器停止無しを示す場合には、前記分析手段は、前記判定表から所定値未満の電圧値を示す範囲の周期の連続数を抽出して、当該周期の連続数がゼロであるか否かを判断することを特徴とする瞬時電圧低下分析システムにある。
【００１６】
かかる第４の態様では、機器状態データが機器停止無しを示す場合に、判定表から所定値未満の電圧値を示す範囲の周期の連続数が抽出され、当該周期の連続数がゼロであるか否かが判断される。これにより、瞬低時に実際に機器停止が無かった場合の電圧低下と継続時間の関係を分析することができる。
【００１７】
本発明の第５の態様は、第１〜４の何れかの態様において、前記条件設定手段により設定される条件には、少なくとも分析開始時の上限電圧値が含まれており、前記分析手段は、前記機器状態データに応じて機器が停止する直前及び直後まで又は前記判定表に含まれる電圧値が最低電圧値となるまで、前記上限電圧値を減算して分析を繰り返すことを特徴とする瞬時電圧低下分析システムにある。
【００１８】
かかる第５の態様では、機器状態データに応じて、上限電圧値が減算されて分析が繰り返される。
【００１９】
本発明の第６の態様は、第１〜５の何れかの態様において、前記分析表生成手段は、電圧値毎に抽出された前記周期の連続数を継続時間に換算して前記分析表を生成することを特徴とする瞬時電圧低下分析システムにある。
【００２０】
かかる第６の態様では、抽出された周期の連続数を継続時間に換算した分析表が生成される。これにより、発生データが電圧値と継続時間との関係で記録整理されるため、対策の検討が容易になる。
【００２１】
本発明の第７の態様は、第１〜６の何れかの態様において、前記分析サーバは、発生データを送信してきた端末に対して前記分析表を配信する分析表配信手段をさらに具備することを特徴とする瞬時電圧低下分析システムにある。
【００２２】
かかる第７の態様では、発生データを送信してきた端末に対して生成された分析表が配信される。これにより、瞬時電圧低下時の発生データが電圧値と継続時間との関係で記録整理された分析表をユーザに対して迅速に提供することができ、例えば、当該分析表を発生データに対する分析結果を示した報告書として提供することも可能となる。
【００２３】
また、本発明の態様は、コンピュータその他の装置、機械等が上述の何れかの処理を実行する方法であってもよい。また、本発明の態様は、コンピュータその他の装置、機械等に、上述の何れかの機能を実現させるプログラムであってもよい。また、本発明の態様は、そのようなプログラムをコンピュータ等が読み取り可能な記録媒体に記録したものでもよい。
【発明の効果】
【００２４】
本発明の瞬時電圧低下分析システムによれば、瞬時電圧低下時の発生データを自動的に分析して、電圧低下の度合いとその継続時間から機器停止の有無を迅速且つ容易に記録整理することができる瞬時電圧低下分析システムを提供することが可能となる。
【発明を実施するための最良の形態】
【００２５】
以下、図面を用いて本発明を実施するための最良の形態について説明する。なお、本実施形態の説明は例示であり、本発明の構成は以下の説明に限定されない。
【００２６】
図１は、本発明の一実施形態に係る瞬時電圧低下分析システムのシステム構成図である。なお、以降の説明において、説明の便宜上、周期をサイクルともいう。
【００２７】
図示するように、本実施形態の瞬時電圧低下分析システム１は、電力系統や電力需要設備（以下、電力設備ともいう）における瞬時電圧低下（以下、瞬低とも省略する）時の発生データを収集して当該発生データの分析を行う分析サーバ１０と、電力設備３０と接続されると共に電力設備３０の瞬低時に分析にかかる所定のデータを分析サーバ１０に送信する複数のユーザ端末２０とがそれぞれネットワーク２を介して接続されている。
【００２８】
本実施形態では、分析サーバ１０が電力会社側に設けられており、電力設備３０の瞬低時に所定のデータを送信してきた何れかのユーザ端末２０に対して、当該データを一定の形式で記録整理した分析データ（後述する分析表）として配信するシステムを例示している。
【００２９】
分析サーバ１０は、不図示のＣＰＵ、メモリ、外部記憶装置、表示部、操作部、及び通信部等を含み構成される情報通信機器であり、瞬低時の発生データを分析する際に必要な各種情報を格納すると共に、この各種情報を利用して何れかのユーザ端末２０との間で発生データの分析にかかる一連の処理を実行する。
【００３０】
具体的には、図示するように、分析サーバ１０は、データ取込手段１１、条件設定手段１２と、判定表生成手段１３、分析手段１４、分析表生成手段１５、分析表配信手段１６、各種データベース（以下、ＤＢと省略する）１１０〜１３０を含み構成されている。
【００３１】
データ取込手段１１は、何れかのユーザ端末２０から送信される瞬低時の発生データ及び瞬低時の各機器の状態を示す機器状態データを取り込む。ここで取り込まれた発生データは、後述する瞬低発生情報ＤＢ１１０に格納される一方、機器状態データは、後述する分析条件情報ＤＢ１２０に分析条件の１つとして格納される。
【００３２】
条件設定手段１２は、管理者などの操作により瞬低時の発生データの分析に必要な各種条件を設定する。ここで設定された情報は、後述する分析条件情報ＤＢ１２０に分析条件として格納される。
【００３３】
判定表生成手段１３は、瞬低時の発生データから所定の周期を抽出して、発生データに含まれる電流値と機器状態データとの関係から機器停止の範囲が示された判定表を生成する。
【００３４】
分析手段１４は、判定表に含まれるデータと分析条件とに基づいて電圧値とその継続時間との関係を分析する。具体的には、分析手段１４は、機器状態データが機器停止有りを示す場合には、判定表から機器が停止する前及び停止した時までの間に存在する所定値未満の電圧値を示す範囲の周期の連続数を抽出して、当該周期の連続数がゼロであるか否かを判断する。一方、機器状態データが機器停止無しを示す場合には、判定表から所定値未満の電圧値を示す範囲の周期の連続数を抽出して、当該周期の連続数がゼロであるか否かを判断する。すなわち、分析手段１４による分析は、瞬低時の機器停止の有無に応じて、機器が停止する直前及び直後まで又は判定表に記録された電圧値が最低電圧値となるまで繰り返される。
【００３５】
分析表生成手段１５は、分析手段１４により分析された電圧値と継続時間の関係に基づいて機器停止の有無が示された分析表を生成する。ここで継続時間とは、電圧値毎に抽出された周期の連続数を時間に換算したものであり、機器の停止が有った場合には発生点から停止前の周期の数で表され、機器の停止が無かった場合には電圧が低下している周期の数で表される。また、生成された分析表は、分析表管理ＤＢ１３０に格納されて管理される。
【００３６】
分析表配信手段１６は、発生データ及び機器状態データを送信してきたユーザ端末２０に対して生成した分析表を配信する。
【００３７】
また、各種ＤＢ１１０〜１３０とは、瞬低発生情報ＤＢ１１０、分析条件情報ＤＢ１２０、分析表管理ＤＢ１３０であり、瞬低時の発生データの分析にかかる各種情報が格納されている。
【００３８】
瞬低発生情報ＤＢ１１０には、データ取込手段１１によって取り込まれた瞬低時の発生データが格納されている。ここで、瞬低時の発生データとは、例えば、ＣＳＶ形式、テキスト形式からなる瞬低発生回数分のファイルであり、３相分の電圧値、１相分の電流値（代表相の１相）、測定時間が記録されたデータである。その他、所定のデータベース形式などを採用してもよい。
【００３９】
分析条件情報ＤＢ１２０には、瞬低時の発生データを分析する分析条件が格納されている。ここで分析条件とは、分析時の上限電圧を示す検索上限電圧値（初期値は９０％であり、定格電圧の１００％〜８０％の間で可変する）、分析時の分析間隔を指定する検索間隔電圧値（初期値は１０Ｖであり、４０Ｖ〜５Ｖの間で５Ｖ間隔で可変する）、データ取込手段１１によって取り込まれた機器状態データ、機器状態データとの関係から機器が停止した範囲を特定する際の判定基準となる機器停止の検討電流値（初期値は１０％以下であり、動作電流の１００％〜０％の間で可変する）、判定表を生成する際に抽出する周期の範囲を指定する検索時間（初期値は１３サイクルであり、１サイクル以上で可変する）である。このうち、機器状態データは、瞬低時に実際に停止した機器が有るか否かを示すデータであり、瞬低時にユーザによってユーザ端末２０から入力されて分析サーバ１０に送信されたものである。
【００４０】
分析表管理ＤＢ１３０には、分析表生成手段１５によって生成された分析表が格納されている。この分析表とは、例えば、図２に示すように、電圧低下の度合いとその継続時間との関係から機器停止の有無が一覧できる表である。この分析表により、瞬低による各機器への影響を認識することが可能となる。
【００４１】
なお、上述のような分析サーバ１０は、一般的なコンピュータの各種機能を備える情報通信機器であればよく、例えば、パーソナルコンピュータ、ワークステーション、サーバなどが挙げられる。
【００４２】
ユーザ端末２０は、不図示のＣＰＵ、メモリ、表示部、操作部、及び通信部等を含み構成される情報通信機器であり、電力設備３０内の瞬低の発生を監視すると共に瞬低時にはネットワーク２を介して発生データ及び機器状態データを瞬時電圧低下分析サーバ１０に送信する。また、瞬低時に送信された所定のデータに基づいて分析された結果が分析表として分析サーバ１０からネットワーク２を介して配信される。
【００４３】
なお、上述のようなユーザ端末２０は、一般的なコンピュータの各種機能を備える情報通信機器であればよく、例えば、パーソナルコンピュータ、サーバなどが挙げられる。
【００４４】
上述のようなシステム構成により、本実施形態では、ユーザ側の瞬低時の膨大な発生データを自動的に分析して記録管理することが可能となる。なお、本実施形態では、瞬低時の発生データから、１年間当たりに約１０００万点もの記録点が処理されている。ここで、瞬低による機器への影響は、一般的に、電圧低下の度合いとその継続時間により決定する。このため、本実施形態では、電圧が連続して低下した時間と機器の状態との関係に基づいて発生データを分析していく。
【００４５】
ここで、発生データの分析処理について図３を用いて説明する。図３は、本発明の一実施形態に係る瞬時電圧低下システム１の分析動作を示すフローチャートである。
【００４６】
まず、条件設定手段１２により各種分析条件が設定される（Ｓ１）。この分析条件は、分析条件情報ＤＢ１２０に予め格納されている条件が自動的に設定されてもよいし、管理者により任意に設定されるものであってもよい。
【００４７】
そして、何れかのユーザ端末２０から瞬低時の発生データ及び機器状態データが瞬時電圧低下システム１に送信されるとデータ取込手段１１によって取り込まれて、発生データが瞬低発生情報ＤＢ１１０に格納されると共に、機器状態データが分析条件情報ＤＢ１２０に格納される。一方で、判定表生成手段１３によって瞬低発生情報ＤＢ１１０内の発生データが読み出される（Ｓ２）。
【００４８】
判定表生成手段１３は、設定された分析条件に従って、読み出した発生データを基に判定表を生成する（Ｓ３）。この判定表は、瞬低発生時点（以下、発生点という）を基点に検索時間（設定された分析条件）までの３相分（ＲＳ相、ＳＴ相、ＴＲ相）の電圧値を所定の周期（以下、サイクルともいう）の範囲のみ抽出したものである。本実施形態では、図４に示すように、発生点を基点に３相分の電圧値を１３サイクル抽出して判定表を生成している。
【００４９】
さらに、判定表生成手段１３は、検索時間範囲内の電流値が機器停止の検討電流値（設定された分析条件）以下であるか否かを判断し、機器状態データとの関係で機器停止の有無を１サイクル毎に判断して当該機器停止の有無を判定表に特定させる。
【００５０】
すなわち、判定表生成手段１３は、まず、発生データから発生点を検索して、検索した発生点と検索時間に基づいて所定の周期の範囲のデータを抽出して、これらのデータの電流値と機器状態データとの関係から機器停止が有ると判断された範囲（以下、機器停止範囲という）がある場合には、機器停止範囲を示した判定表を生成する。
【００５１】
そして、分析手段１４は、判定表に機器停止範囲が示されているか否か、すなわち瞬低時に機器停止が発生したか否かにより、各々の分析処理に移行する（Ｓ４）。各々の分析処理は、分析手段１４が主体となって、判定表に記録されている電圧値と分析条件とに基づいて電圧低下の度合いとその継続時間との関係を分析することで実行される。
【００５２】
ここで、判定表に機器停止範囲が示されている場合（Ｓ４；Ｙｅｓ）には、当該判定表から機器が停止する直前及び直後までの電圧低下の度合いとその継続時間が抽出され、機器が動作又は停止する電圧値とその継続時間との関係が分析される。
【００５３】
具体的には、まず、検索上限電圧値が設定電圧値として設定される（Ｓ５−１）。ここで、設定された設定電圧値が、上限値となって以降の分析処理が実行されていく。そして、分析手段１４は、判定表に含まれる３相分の電圧値を対象にして、設定電圧値未満の電圧値が発生点から機器停止前まで連続して記録されている範囲の周期を各相ごと（ＲＳ相、ＳＴ相、ＴＲ相）に検索して抽出する（Ｓ５−２）。一方、判定表に含まれる３相分の電圧値を対象にして、設定電圧値未満の電圧値が発生点から機器停止時まで連続して記録されている範囲の周期を検索して各相ごとに抽出する（Ｓ５−３）。すなわち、分析手段１４は、判定表から機器が停止する直前及び直後までの間に存在する所定値未満の電圧値を示す範囲の周期の連続数、すなわち継続時間を各相ごとに抽出する。そして、分析手段１４は、３相全てにおいて、抽出した範囲の周期の連続数がゼロであるか否かを判断する（Ｓ５−４）。すなわち、設定電圧値未満において、継続時間が発生しているか否かが判断される。
【００５４】
ここで、３相全てにおいて、抽出した範囲の周期の連続数がゼロでない場合には、設定電圧値から検索間隔電圧値を減算した値が新しい設定電圧値となり（Ｓ５−５）、再びステップＳ５−２以降の処理が実行される。すなわち、分析手段１４は、抽出した範囲の周期の連続数がゼロになるまで設定電圧値を減算して、機器が停止する直前及び直後までの分析処理を繰り返し実行する。一方、３相全てにおいて、抽出した周期の連続数がゼロとなった場合には、継続時間が発生していないことになるため、分析処理が終了する。
【００５５】
また、判定表に機器停止範囲が示されていない場合（Ｓ４；Ｎｏ）には、当該判定表全体から電圧低下の度合いとその継続時間が抽出され、機器が動作する電圧値とその継続時間との関係が分析される。
【００５６】
具体的には、まず、検索上限電圧値が設定電圧値として設定される（Ｓ６−１）。そして、分析手段１４は、判定表に含まれる３相分の電圧値を対象にして、設定電圧値未満の電圧値が記録されている範囲の周期を各相ごとに検索して抽出する（Ｓ６−２）。すなわち、分析手段１４は、判定表から所定値未満の電圧値を示す範囲の周期の連続数、すなわち継続時間を各相ごとに抽出する。そして、分析手段１４は、３相全てにおいて、抽出した範囲の周期の連続数がゼロであるか否かを判断する（Ｓ６−３）。すなわち、設定電圧値未満において、継続時間が発生しているか否かが判断される。
【００５７】
ここで、３相全てにおいて、抽出した範囲の周期の連続数がゼロでない場合には、設定電圧値から検索間隔電圧値を減算した値が新しい設定電圧値となり（Ｓ６−４）、再びステップＳ６−２以降の処理が実行される。すなわち、判定表に含まれる電圧値が最低電圧値となるまで、設定電圧値を減算して分析処理を繰り返し実行する。一方、３相全てにおいて、抽出した範囲の周期の連続数がゼロとなった場合には、継続時間が発生していないことになるため、分析処理が終了する。
【００５８】
そして、分析手段１４は、別の瞬低時の発生データ、すなわち別に発生した発生データを示すＣＳＶ形式ファイルなどが他にあるか否かを判断する（Ｓ７）。ここで、別の発生データがある場合（Ｓ７；Ｙｅｓ）には、ステップＳ２へ戻り、ステップＳ２〜Ｓ６までの処理が繰り返し実行される。
【００５９】
一方、別の発生データがない場合（Ｓ７；Ｎｏ）には、分析表生成手段１５によって、電圧値とその継続時間との関係から分析表が生成される（Ｓ８）。すなわち、分析表生成手段１５は、分析手段１４によって抽出された範囲の電圧値ごとの周期の連続数を継続時間として時間に換算して、電圧値と継続時間との関係に基づく分析表を生成する。本実施形態では、図２に示すように、１周期を１／６０秒、縦軸を電圧値、横軸を継続時間として示した分析表が生成されている。これにより、瞬低時の膨大な発生データを一覧性のある分かり易い形式で分析表として示すことができる。
【００６０】
また、生成された分析表は、分析表管理ＤＢ１３０に格納されて管理されると共に、分析表配信手段１６によって、瞬低時の発生データを送信してきたユーザ端末２０に対して配信される。これにより、瞬低時の膨大な発生データが記録整理された分析表をユーザに対して提供することができる。
【００６１】
次に、発生データ及び分析条件などの具体的な数値を例示して、判定表が生成されてから分析表が生成されるまでの分析処理を説明する。
【実施例１】
【００６２】
瞬時電圧低下分析システム１において、分析条件を、検索上限電圧値：１８０Ｖ、検索間隔電圧値：１０Ｖ、検索時間範囲：１３サイクル、ＣＳＶ形式ファイル数：１、機器状態データ：停止有りとして判定表を生成した結果、図５に示す判定表が生成された。本実施例１では、電流値と機器状態データとの関係で特定される機器停止範囲は、図５に示すように、４サイクル以降が機器停止有りとして示されている。ここで、図５に示す判定表において機器停止前とは３サイクルまでをいい、一方、機器停止時とは４サイクルまでをいう。すなわち、機器停止時とは、図５に示された機器停止点である。
【００６３】
まず、検索上限電圧値１８０Ｖを設定電圧値として設定した。そして、分析手段１４は、判定表に含まれる３相分の電圧値を対象にして、設定電圧値未満の電圧値が発生点から機器停止前及び停止時までに記録されている範囲の周期を各相ごとに検索して抽出した。本実施例１では、３相全てにおいて、１８０Ｖ未満の電圧値が発生点から機器停止前までの範囲に３サイクル連続して記録されている。一方、３相全てにおいて、１８０Ｖ未満の電圧値が発生点から機器停止時（機器停止点；以下、同様である）までの範囲に４サイクル連続して記録されている。この場合、電圧値とその継続時間は、機器停止範囲との関係から、電圧値１８０Ｖ未満が３サイクル継続で機器動作、電圧値１８０Ｖ未満が４サイクル継続で機器停止という関係にあると分析された。すなわち、１８０Ｖ未満の電圧値が３サイクル継続しても機器は動作していたが４サイクル目で停止したことが分析された。
【００６４】
ここで、３相全てにおいて、抽出した範囲の周期の連続数がゼロでないため、設定電圧値から検索間隔電圧値１０Ｖを減算した値が新しい設定電圧値１７０Ｖとして設定された。ここでは、３相全てにおいて、１７０Ｖ未満の電圧値が発生点から機器停止前までの範囲に３サイクル連続して記録されている。一方、３相全てにおいて、１７０Ｖ未満の電圧値が発生点から機器停止時までの範囲に４サイクル連続して記録されている。この場合、電圧値とその継続時間は、機器停止範囲との関係から、電圧値１７０Ｖ未満が３サイクル継続で機器動作、電圧値１７０Ｖ未満が４サイクル継続で機器停止という関係にあると分析された。すなわち、１７０Ｖ未満の電圧値が３サイクル継続しても機器は動作していたが４サイクル目で停止したことが分析された。
【００６５】
ここで、３相全てにおいて、抽出した範囲の周期の連続数がゼロでないため、設定電圧値１７０Ｖからさらに検索間隔電圧値１０Ｖを減算した値が新しい設定電圧値１６０Ｖとして設定された。ここでは、３相全てにおいて、１６０Ｖ未満の電圧値が発生点から機器停止前までの範囲に２サイクル連続して記録されている。一方、３相全てにおいて、１６０Ｖ未満の電圧値が発生点から機器停止時までの範囲に３サイクル連続して記録されている。この場合、電圧値とその継続時間は、機器停止範囲との関係から、電圧値１６０Ｖ未満が２サイクル継続で機器動作、電圧値１６０Ｖ未満が３サイクル継続で機器停止という関係にあると分析された。すなわち、１６０Ｖ未満の電圧値が２サイクル継続しても機器は動作していたが３サイクル目で停止したことが分析された。
【００６６】
ここで、３相全てにおいて、抽出した範囲の周期の連続数がゼロでないため、設定電圧値１６０Ｖからさらに検索間隔電圧値１０Ｖを減算した値が新しい設定電圧値１５０Ｖとして設定された。ここでは、ＲＳ相、ＳＴ相において、１５０Ｖ未満の電圧値が発生点から機器停止前までの範囲に０サイクル、ＴＲ相において、１５０Ｖ未満の電圧値が発生点から機器停止前までの範囲に１サイクル連続して記録されている。一方、ＲＳ相において、１５０Ｖ未満の電圧値が発生点から機器停止時までの範囲に０サイクル、ＳＴ相において、１５０Ｖ未満の電圧値が発生点から機器停止時までの範囲に１サイクル、ＴＲ相において、１５０Ｖ未満の電圧値が発生点から機器停止時までの範囲に２サイクル連続して記録されている。この場合、電圧値とその継続時間は、機器停止範囲との関係から、電圧値１５０Ｖ未満が１サイクル継続で機器動作、電圧値１５０Ｖ未満が２サイクル継続で機器停止という関係にあると分析された。すなわち、１５０Ｖ未満の電圧値が１サイクル継続しても機器は動作していたが２サイクル目で停止したことが分析された。
【００６７】
ここで、３相全てにおいて、抽出した範囲の周期の連続数がゼロでないため、設定電圧値１５０Ｖからさらに検索間隔電圧値１０Ｖを減算した値が新しい設定電圧値１４０Ｖとして設定された。ここでは、３相全てにおいて、１４０Ｖ未満の電圧値が発生点から機器停止前までの範囲に０サイクル連続して記録されている。一方、３相全てにおいて、１４０Ｖ未満の電圧値が発生点から機器停止時までの範囲に０サイクル連続して記録されている。この場合、所定の電圧値に対する継続時間が発生していないため、分析処理を終了した。
【００６８】
本実施例１では、分析手段１４による分析処理の結果、上述のような電圧値と継続時間との関係が得られ、図６に示すような分析表が生成された。
【実施例２】
【００６９】
瞬時電圧低下分析システム１において、分析条件を、検索上限電圧値：１８０Ｖ、検索間隔電圧値：１０Ｖ、検索時間範囲：１３サイクル、ＣＳＶ形式ファイル数：１、機器状態データ：停止無しとして判定表を生成した結果、図７に示す判定表が生成された。本実施例２では、瞬低時の機器停止が発生していないため、電流値と機器状態データとの関係で特定される機器停止範囲は、判定表に示されていない。
【００７０】
まず、検索上限電圧値１８０Ｖを設定電圧値として設定した。そして、分析手段１４は、判定表に含まれる３相分の電圧値を対象にして、設定電圧値未満の電圧値が記録されている範囲の周期を各相ごとに検索して抽出した。本実施例１では、３相全てにおいて、１８０Ｖ未満の電圧値が６サイクル連続して記録されている。この場合、電圧値とその継続時間は、機器停止範囲との関係から、電圧値１８０Ｖ未満が６サイクル継続で機器動作という関係にあると分析された。すなわち、１８０Ｖ未満の電圧値が６サイクル継続しても機器は動作していたことが分析された。
【００７１】
ここで、３相全てにおいて、抽出した範囲の周期の連続数がゼロでないため、設定電圧値から検索間隔電圧値１０Ｖを減算した値が新しい設定電圧値１７０Ｖとして設定された。ここでは、３相全てにおいて、１７０Ｖ未満の電圧値が６サイクル連続して記録されている。この場合、電圧値とその継続時間は、機器停止範囲との関係から、電圧値１７０Ｖ未満が６サイクル継続で機器動作という関係にあると分析された。すなわち、１７０Ｖ未満の電圧値が６サイクル継続しても機器は動作していたことが分析された。
【００７２】
ここで、３相全てにおいて、抽出した範囲の周期の連続数がゼロでないため、設定電圧値１７０Ｖからさらに検索間隔電圧値１０Ｖを減算した値が新しい設定電圧値１６０Ｖとして設定された。ここでは、ＲＳ相、ＳＴ相において、１６０Ｖ未満の電圧値が６サイクル、ＴＲ相において、１６０Ｖ未満の電圧値が１サイクル及び３サイクル連続して記録されている。この場合、電圧値とその継続時間は、機器停止範囲との関係から、電圧値１６０Ｖ未満が６、３、１サイクル継続で機器動作という関係にあると分析された。すなわち、１６０Ｖ未満の電圧値が６、３、１サイクル継続しても機器は動作していたことが分析された。
【００７３】
ここで、３相全てにおいて、抽出した範囲の周期の連続数がゼロでないため、設定電圧値１６０Ｖからさらに検索間隔電圧値１０Ｖを減算した値が新しい設定電圧値１５０Ｖとして設定された。ここでは、ＲＳ相において、１５０Ｖ未満の電圧値が１サイクル及び３サイクル、ＳＴ相において、１５０Ｖ未満の電圧値が５サイクル、ＴＲ相において、１５０Ｖ未満の電圧値が２サイクル連続して記録されている。この場合、電圧値とその継続時間は、機器停止範囲との関係から、電圧値１５０Ｖ未満が５、３、２、１サイクル継続で機器動作という関係にあると分析された。すなわち、１５０Ｖ未満の電圧値が５、３、２、１サイクル継続しても機器は動作していたことが分析された。
【００７４】
ここで、３相全てにおいて、抽出した範囲の周期の連続数がゼロでないため、設定電圧値１５０Ｖからさらに検索間隔電圧値１０Ｖを減算した値が新しい設定電圧値１４０Ｖとして設定された。ここでは、ＲＳ相において、１４０Ｖ未満の電圧値が２サイクル、ＳＴ相において、１４０Ｖ未満の電圧値が３サイクル、ＴＲ相において、１４０Ｖ未満の電圧値が１サイクル連続して記録されている。この場合、電圧値とその継続時間は、機器停止範囲との関係から、電圧値１４０Ｖ未満が３、２、１サイクル継続で機器動作という関係にあると分析された。すなわち、１４０Ｖ未満の電圧値が３、２、１サイクル継続しても機器は動作していたことが分析された。
【００７５】
ここで、３相全てにおいて、抽出した範囲の周期の連続数がゼロでないため、設定電圧値１４０Ｖからさらに検索間隔電圧値１０Ｖを減算した値が新しい設定電圧値１３０Ｖとして設定された。ここでは、ＲＳ相、ＴＲ相において、１３０Ｖ未満の電圧値が０サイクル、ＳＴ相において、１３０Ｖ未満の電圧値が１サイクル連続して記録されている。この場合、電圧値とその継続時間は、機器停止範囲との関係から、電圧値１３０Ｖ未満が１サイクル継続で機器動作という関係にあると分析された。すなわち、１３０Ｖ未満の電圧値が１サイクル継続しても機器は動作していたことが分析された。
【００７６】
ここで、３相全てにおいて、抽出した範囲の周期の連続数がゼロでないため、設定電圧値１３０Ｖからさらに検索間隔電圧値１０Ｖを減算した値が新しい設定電圧値１２０Ｖとして設定された。ここでは、３相全てにおいて、１２０Ｖ未満の電圧値が０サイクル連続して記録されている。この場合、所定の電圧値に対する継続時間が発生していないため、分析処理を終了した。
【００７７】
本実施例２では、分析手段１４による分析処理の結果、上述のような電圧値と継続時間との関係が得られ、図８に示すような分析表が生成された。
【００７８】
以上、説明したように本実施形態の瞬時電圧低下分析システム１によれば、瞬低時の発生データが、分析サーバ１０によって、自動的に分析されて電圧値と継続時間との関係に基づく分析表として生成されるので、瞬低時の膨大な発生データを迅速且つ容易に記録整理することができる。さらに、瞬低時の発生データが記録整理された分析表をユーザに対しても迅速に提供することもできるため、当該分析表を瞬低の対策用データとして有効に活用することが可能となる。
【図面の簡単な説明】
【００７９】
【図１】本発明の一実施形態に係る瞬時電圧低下分析システムのシステム構成図である。
【図２】本発明の一実施形態に係る電圧低下の度合いと継続時間との関係を示す分析表の一例である。
【図３】本発明の一実施形態に係る瞬時電圧低下システムの分析動作を示すフローチャートである。
【図４】本発明の一実施形態に係る判定表を説明する図である。
【図５】本発明の実施例１の判定表を示す図である。
【図６】本発明の実施例１の分析表を示す図である。
【図７】本発明の実施例２の判定表を示す図である。
【図８】本発明の実施例２の分析表を示す図である。
【符号の説明】
【００８０】
１０  分析サーバ
１１  データ取込手段
１２  条件設定手段
１３  判定表生成手段
１４  分析手段
１５  分析表生成手段
１６  分析表配信手段
２０  ユーザ端末
１１０  瞬低発生情報ＤＢ
１２０  分析条件情報ＤＢ
１３０  分析表管理ＤＢ
【図１】
2005269783.tif 000003
【図２】
2005269783.tif 000004
【図３】
2005269783.tif 000005
【図４】
2005269783.tif 000006
【図５】
2005269783.tif 000007
【図６】
2005269783.tif 000008
【図７】
2005269783.tif 000009
【図８】
2005269783.tif 000010